(57)【要約】本発明は、ノズル本体の複数個の流路と前記ノズルキャップの複数個の噴出流路との間に介されて、これら流路らをお互いにそれぞれ流通させる複数個の貫通孔が形成されたディスク型弾性シールを前記ノズル本体に嵌め合いしてノズル本体の先端に縮径された段差雄型部を置くが、前記段差雄型部の外周面の一部に溝を形成して、前記溝に突起を形成して前記段差雄型部に外接されて嵌め合いされる管状雌型部を前記ノズルキャップに形成して、前記突起に係止されて前記突起を先端方向に加圧するフック部を前記管状雌型部の基端に形成したビデのノズルキャップとノズル本体との間の嵌め合い構造に関するものである。
2017509815.tif 000002
【特許請求の範囲】
【請求項１】
ビデのノズルキャップとノズル本体との間の嵌め合い構造において、前記ノズル本体（１００）の先端外周面には縮径された段差雄型部（１１０）が形成されており、前記段差雄型部（１１０）の外周面一部には半径外方向に突き出された円筒状の突起（１１１）が形成されており、前記ノズル本体（１００）の先端には弾性のディスク型シール（１１２）が安着されるシート部（１１５）が形成されており、前記ディスク型シール（１１２）にはノズル本体（１００）が前記ノズルキャップ（２００）が結合された状態で前記ノズル本体（１００）の複数個の流路（１１４）と前記ノズルキャップ（２００）の複数個の噴出流路（２２１）とのそれぞれをお互いに流通させるために複数個の貫通孔（１１６）が形成されており、前記ノズルキャップ（２００）の基端には前記複数個の噴出流路（２２１）らと流通して前記ノズル本体（１００）の段差雄型部（１１０）に外接されて嵌め合いされる管状雌型部（２２２）が一体で具備されており、前記管状雌型部（２２２）には前記円筒状突起（１１１）と向かい合う部位に前記円筒状突起（１１１）の直径と同じ幅を有した長方形のガイド切欠部（２３０）が形成されており、前記ガイド切欠部（２３０）の先端の反時計方向壁部には前記ノズルキャップ（２００）をノズル本体（１００）側にさらに移動されて、前記弾性のディスク型シール（１１２）を加圧することができるように位置決定されて、切欠されたフック形状部（２４０）が形成されていることを特徴とするビデのノズルキャップとノズル本体との間の嵌め合い構造。
【請求項２】
前記ディスク型シール（１１２）の基端面には先端が前記複数個の貫通孔（１１６）と流通した状態で基端が基端側に延びて前記ノズル本体（１００）の複数個の流路（１１４）の先端それぞれに形成されたシート雌型部（１１７）に安着されるように前記複数個の流路（１１４）に挿入される複数個の管状雄型部（１１８）が一体で具備されていることを特徴とする請求項１に記載のビデのノズルキャップとノズル本体との間の嵌め合い構造。
【請求項３】
前記フック形状部（２４０）が形成された前記ガイド切欠部（２３０）の先端の反時計方向壁部と向かい合う前記管状雌型部（２２２）の内周面部位は厚肉部（２５０）でなされていて、前記円筒状の突起（１１１）が形成された前記段差雄型部（１１０）の周辺には、前記厚肉部（２５０）によって障害を受けないで、ノズル本体（１００）とノズルキャップ（２００）がお互いに容易に結合されるようにするために溝（１３０）が形成されていることを特徴とする請求項１または２に記載のビデのノズルキャップとノズル本体との間の嵌め合い構造。
【発明の詳細な説明】
【技術分野】
【０００１】
本発明は、ビデのノズルキャップとノズル本体との間の嵌め合い構造に関するものであり、シールを損傷させなくても容易に脱着することができるビデのノズルキャップとノズル本体との間の嵌め合い構造に関するものである。
【背景技術】
【０００２】
ビデは一般に肛門洗浄用洗浄水噴出と女性局所洗浄用ビデ噴出が可能になるようになっており、特に、噴出口の洗浄を容易にするためにビデには胴体で前後進可能に装着されているノズル本体にノズルキャップが脱着可能になっている。これを具体的に説明すれば次のようである。
【０００３】
前記ノズル本体には、複数個の流路、例えば、ビデ用流路、洗浄用流路及び快便用流路が形成されており、そして、前記ノズルキャップには前記複数個の流路とそれぞれ流通する複数個の噴出流路が、例えば、ビデ用噴出流路、洗浄用噴出流路及び快便用噴出流路が形成されている。
【０００４】
前記ノズル本体と前記ノズルキャップが脱着可能に装着されるためには、前記ノズル本体の先端外周面に縮径された段差部が形成されており、前記段差部の一部には突起が形成されており、前記段差部の先端外周面にはシールが外接されており、前記ノズル本体の先端で露出された複数個の流路の端部にもそれぞれシールが外接されているし、前記ノズルキャップの基端には前記複数個の流路の端部に形状的に外接されて嵌め合いされることができるように複数個の噴出流路らが形成されており、前記段差部に形状的に外接されて嵌め合いされることができるように凹部が形成されており、そして、前記ノズルキャップの基端には前記突起が挿入貫通される貫通孔が形成されている。
【０００５】
前記複数個の流路の端部に外接されたシールは、前記ノズル本体の複数個の流路が前記ノズルキャップの複数個の噴出流路に内接されて結合された状態で、前記複数個の流路と前記複数個の噴出流路内部の洗浄水が前記複数個の流路と前記複数個の噴出流路間の隙間の間に漏れることを防止する第１作用をして、そして、前記段差部に外接されたシールは、前記複数個の噴出流路の噴出口らで噴出された洗浄水が戻って前記ノズル本体と前記ノズルキャップとの間の隙間を通じて前記ノズル本体と前記ノズルキャップとの間の空間内に侵入することを防止する第２作用をする。
【０００６】
しかし、このような構成を有したノズル本体とノズルキャップとの間の構造は、噴出口を周期的に洗浄するためにノズルキャップがノズル本体に対して繰り返し脱着されるようになれば、前記シール等が迅速に摩耗されて前記第１及び第２作用ができなくなって、頻繁に前記シール等を交換しなければならない問題点を有する。
【０００７】
また、このような構成を有したノズル本体とノズルキャップとの間の構造は、前記ノズルキャップが前記ノズル本体に結合される時に前記ノズル本体の突起によって前記ノズルキャップが拡径されて前記突起を超えていながら前記ノズルキャップに形成された貫通孔に前記突起が挿入されるために、噴出口を周期的に洗浄するためにノズルキャップがノズル本体に対して繰り返し脱着されるようになれば、前記ノズルキャップの凹部内周面が前記突起によって掻かれて前記シールと前記ノズルキャップの凹部内周面との間に隙間が生じて第２作用を提供することができなくなる上、ノズルキャップがノズル本体から分離される時、前記貫通孔から前記突起がすり抜けて出ることができるように工具でノズルキャップを抑止して拡径させなければならないために、ノズルキャップやノズル本体に損傷が生じて、ノズルキャップがノズル本体から分離される作業が難しいと言う問題点を有する。
【発明の概要】
【発明が解決しようとする課題】
【０００８】
本発明は、前記した問題点を解決することに課題を有する。
【課題を解決するための手段】
【０００９】
本発明は、ノズル本体の複数個の流路と前記ノズルキャップの複数個の噴出流路間に介されて、これら流路らをお互いにそれぞれ流通させる複数個の貫通孔が形成されたディスク型弾性シールを前記ノズル本体に嵌め合いして、ノズル本体の先端に縮径された段差雄型部を置くが、前記段差雄型部の外周面の一部に溝を形成して、前記溝に突起を形成して前記段差雄型部に外接されて嵌め合いされる管状雌型部を前記ノズルキャップに形成して、前記突起に係止されて前記突起を先端方向に加圧するフック部を前記管状雌型部の基端に形成することで前記課題を解決することができる。
【発明の効果】
【００１０】
本発明は、ディスク型シールに対して従来よりも小さなすべり接触長さをもってノズルキャップをノズル本体に脱着することができるようにして、シールの摩耗を従来よりも減らすことができる作用効果を提供することができ、また、前記管型雌型部を前記段差雄型部に外接させた後一定角度前記ノズルキャップを時計方向に手で旋回させれば、フックが突起に係止されて一定角度前記ノズルキャップを反時計方向に手で旋回させれば、フックが突起で係止解除されてノズルキャップやノズル本体にどのような損傷も与えないで手軽に繰り返し前記ノズルキャップを前記ノズル本体に脱着することが可能でノズルキャップの噴出口の洗浄を容易にしながらも、脱着によるノズルキャップやノズル本体の耐久性が弱化されることを防止する作用効果を提供する。
【図面の簡単な説明】
【００１１】
【図１】図１乃至図３は本発明による実施例のノズル本体とノズルキャップを分解して示した分解斜視図である。
【図２】図１乃至図３は本発明による実施例のノズル本体とノズルキャップを分解して示した分解斜視図である。
【図３】図１乃至図３は本発明による実施例のノズル本体とノズルキャップを分解して示した分解斜視図である。
【図４】図４は図１のディスク型シールをノズル本体に結合した状態で示した分解斜視図である。
【図５】図５は図４の状態でノズルキャップを結合した状態を示した斜視図である。
【図６】図６は図５の状態でノズルキャップを時計方向に回転させた状態を示した斜視図である。
【発明を実施するための形態】
【００１２】
以下、本発明による実施例のビデのノズルキャップとノズル本体との間の嵌め合い構造が図１乃至図６を参照して詳しく説明されるであろう。
図１乃至図３には、本実施例のビデのノズルキャップとノズル本体との間の嵌め合い構造が分解斜視図に示されている。
【００１３】
図１乃至図３に示されたように、前記ノズル本体１００の先端外周面には縮径された段差雄型部１１０が形成されており、前記段差雄型部１１０の外周面一部には溝１３０が形成されており、前記溝１３０には半径外方向に突き出された円筒状の突起１１１が形成されている。
【００１４】
前記ノズル本体１００の先端には弾性のディスク型シール１１２が安着されるシート部１１５が形成されており、前記ディスク型シール１１２にはノズル本体１００と前記ノズルキャップ２００が結合された状態で前記ノズル本体１００の複数個の流路１１４と前記ノズルキャップ２００の複数個の噴出流路２２１をそれぞれをお互いに流通させるために複数個の貫通孔１１６が形成されている。
【００１５】
また、前記ディスク型シール１１２の基端面には先端が前記複数個の貫通孔１１６と流通した状態で基端が基端側に延びて前記ノズル本体１００の複数個の流路１１４の先端それぞれに形成されたシート雌型部１１７に安着されるように前記複数個の流路１１４に挿入される複数個の管型雄型部１１８が一体で具備されていて、前記ディスク型シール１１２が前記ノズル本体１００のシート部１１５で回転されることが防止される。
【００１６】
前記ノズルキャップ２００の基端には前記複数個の噴出流路２２１等と流通して前記ノズル本体１００の段差雄型部１１０に外接されて嵌め合いされる管状雌型部２２２が一体で具備されている。
【００１７】
前記管状雌型部２２２には前記円筒状突起１１１と向かい合う部位に前記円筒状突起１１１の直径と同じ幅を有した長方形のガイド切欠部２３０が形成されており、前記ガイド切欠部２３０の先端の反時計方向の壁部には前記ノズルキャップ２００をノズル本体１００側にさらに移動されて前記弾性のディスク型シール１２２を加圧することができるように位置決定されて切欠されたフック形状部２４０が形成されている。
【００１８】
前記フック形状部２４０が形成された前記ガイド切欠部２３０の先端の反時計方向壁部と向かい合う前記管状雌型部２２２の内周面部位は厚肉部２５０でなされていて、前記円筒状突起１１１が前記フック形状部２４０に係止されて前記円筒状突起１１１によって前記フック形状部２４０が引張力を受けるようになってもフック形状部２４０が変形されるか、または破損されることを防止することができる。
【００１９】
前記段差雄型部１１０に形成された溝１３０は、前記厚肉部２５０によって障害を受けないで、ノズル本体１００とノズルキャップ２００がお互いに容易に結合されるようにするために形成されたものである。
【００２０】
前記のような構成を有したノズル本体１００とノズルキャップ２００は、次のようにお互いに脱着されることができる。
取付時には、図４に示されたように、ディスク型シール１１２をシート部１１５に安着させた状態で、管状雌型部２２２を段差雄型部１１０に外接させて嵌め合いしながら回転させて管状雌型部２２２のガイド切欠部２３０を前記円筒状突起１１１に合わせてから、図５に示されたように、前記ノズルキャップ２００を前記ノズル本体１００側に押し入れれば、前記ガイド切欠部２３０の案内を受けて前記円筒状突起１１１が前記ガイド切欠部２３０の先端壁部に当接することになり、この状態で図６に示されたように、前記ノズルキャップ２００を時計方向に回転させれば、前記円筒状突起１１１が前記フック形状部２４０に入って行きながら前記ノズルキャップ２００を前記ノズル本体１００にさらに押されて、前記弾性のディスク型シール１１２が加圧されるようになって、前記ノズルキャップ２００の複数個の噴出流路２２１と前記ノズル本体１００の複数個の流路が油密的に流通するようにしながら確実に前記ノズル本体１００に前記ノズルキャップ２００が非意図的な外力によって結合解除されないように嵌め合いされる。
【００２１】
取付解除時には前記取付時の作業手順に逆順である。
このような構成を有したノズル本体とノズルキャップとの間の構造は、前記ディスク型シール１１２に対して従来よりも小さなすべり接触長さをもってノズルキャップ２００をノズル本体１００に脱着することができるようにして、シールの摩耗を従来よりも減らすことができる作用効果を提供することができるし、そして、前記管状雌型部２２２を前記段差雄型部１１０に外接させた後一定角度前記ノズルキャップ２００を時計方向に手で旋回させればフック形状部２４０が円筒状突起１１１に係止されて一定角度前記ノズルキャップを反時計方向に手で旋回させればフック形状部２４０が円筒状突起１１１で係止解除されてノズルキャップ２００やノズル本体１００にどのような損傷も与えないで手軽に繰り返し前記ノズルキャップ２００を前記ノズル本体１００に脱着することが可能で、ノズルキャップ２００の噴出口の洗浄を容易にしながらも、脱着によるノズルキャップ２００やノズル本体１００の耐久性が弱化されることを防止する作用効果を提供する。
【００２２】
前記実施例で溝１３０と円筒状突起１１１がノズル本体１００にそれぞれ一つ形成されると、これに相応するようにノズルキャップ２００に切欠部２３０とフック形状部２４０がそれぞれ一つ形成されて、溝１３０と円筒状突起１１１がノズル本体１００にそれぞれ等しい位相差をもって複数個形成されれば、これに相応するようにノズルキャップ２００にも切欠部２３０とフック形状部２４０がそれぞれ等しい位相差を持って複数個形成されることができる。
【図１】
2017509815.tif 000003
【図２】
2017509815.tif 000004
【図３】
2017509815.tif 000005
【図４】
2017509815.tif 000006
【図５】
2017509815.tif 000007
【図６】
2017509815.tif 000008
【国際調査報告】
2017509815.tif 000009
2017509815.tif 000010
2017509815.tif 000011
2017509815.tif 000012